(57)【特許請求の範囲】
【請求項１】
土の上に設置されて植物の周囲をシートにより覆う植物栽培装置であって、
板状に形成されてその板面が前記土に接するように配置されるパネル本体を備え、前記パネル本体に前記植物の根が前記土まで到達することを可能とする貫通孔が形成されている植物栽培パネルと、
前記シートと前記植物栽培パネルとの間に空間を形成した状態で前記シートを支持するフレーム部材とを備え、
前記フレーム部材は、前記土に差し込まれる差込部と、この差込部が前記土に差し込まれた状態において、前記土の上に設置された前記植物栽培パネルを下方へ押圧可能な押圧部とを有することを特徴とする植物栽培装置。
【請求項２】
前記押圧部は、前記フレーム部材において前記差込部の先端から所定長さ離れた部分から側方へ張り出す張出部を有することを特徴とする請求項１に記載の植物栽培装置。
【請求項３】
前記シートの端部には、長尺状に延びる縁部材が設けられ、
前記フレーム部材において前記差込部の先端から所定長さ離れた部分には、前記縁部材と係合可能な縁部材係合部が設けられており、
前記パネル本体の側面と前記シートとを密着させるように、前記縁部材係合部と前記縁部材とが係合していることを特徴とする請求項１又は２に記載の植物栽培装置。
【請求項４】
前記パネル本体には、前記フレーム部材と係合可能なフレーム部材係合部が設けられていることを特徴とする請求項１乃至３のいずれか１項に記載の植物栽培装置。
【請求項５】
前記パネル本体の貫通孔において、前記土側に配置される端部の断面積がその反対側の端部の断面積よりも小さくされていることを特徴とする請求項１乃至４のいずれか１項に記載の植物栽培装置。
【請求項６】
前記貫通孔の断面積は、前記土側に配置される端部側ほど小さくされていることを特徴とする請求項５に記載の植物栽培装置。
【請求項７】
前記貫通孔において前記土側に配置される端部には、前記貫通孔の断面の中心側へ突出する突出部が設けられていることを特徴とする請求項５又は６に記載の植物栽培装置。
【請求項８】
前記パネル本体において、前記土と反対側に配置される板面にはその板面から互いに同じ長さで突出する複数の柱状部が設けられていることを特徴とする請求項１乃至７のいずれか１項に記載の植物栽培装置。
【請求項９】
前記パネル本体において前記土側に配置される板面には、前記柱状部に対応する位置に前記柱状部と係合可能な凹部が設けられていることを特徴とする請求項８に記載の植物栽培装置。
【請求項１０】
請求項１乃至９のいずれか１項に記載の植物栽培装置を用いた植物栽培方法であって、
前記パネル本体の下面が前記土に接するように、前記植物栽培パネルを前記土の上に設置する工程と、
前記フレーム部材の差込部を前記土に差し込むとともに、前記土の上に設置された前記植物栽培パネルを前記押圧部により下方へ押圧する工程と、
前記貫通孔の内部に入れられた土と前記パネル本体よりも下側の前記土とで前記植物を生育する工程と、
を備えることを特徴とする植物栽培方法。
【請求項１１】
請求項３に記載の植物栽培装置を用いた植物栽培方法であって、
前記パネル本体の下面が前記土に接するように、前記植物栽培パネルを前記土の上に設置する工程と、
前記パネル本体の側面と前記シートとを密着させるように、前記縁部材係合部と前記縁部材とを係合させる工程と、
前記貫通孔の内部に入れられた土と前記パネル本体よりも下側の前記土とで前記植物を生育する工程と、
を備えることを特徴とする植物栽培方法。
【発明の詳細な説明】
【技術分野】
【０００１】
本発明は、植物栽培装置及び植物栽培方法に関する。
【背景技術】
【０００２】
土を用いた植物の栽培に際しては、植物を風雨や害虫から守るために、植物の周囲をビニールシートやネット（メッシュシート）で覆う場合がある。代表的にはビニールハウスがよく知られているが、ビニールハウスは建築物というべきものであって、設備が大袈裟になりやすく組み立てにも手間が掛かる。
【０００３】
そこで、簡易に組み立てられるハウス構造について各種提案されている（例えば、特許文献１，２参照）。
【先行技術文献】
【特許文献】
【０００４】
【特許文献１】実開昭６０−１６４５６１号公報
【特許文献２】実開昭６１−１８２２４７号公報
【発明の概要】
【発明が解決しようとする課題】
【０００５】
しかしながら、このように植物の周囲をシート等で覆うハウス構造であっても、害虫が土側から侵入するという問題がある。かかる問題を解消すべく、土の表面にビニールシートを張ることも各農場で行われているが、これが更なる設置の手間を生み出している。
【０００６】
本発明は、こうした事情に鑑みてなされたものであり、簡易な構造であって、害虫の侵入を手間なく抑制することのできる植物栽培装置及び植物栽培方法を提供することを主たる目的とする。
【課題を解決するための手段】
【０００７】
上記課題を解決するために、以下の手段を採用した。
【０００８】
第１の発明は、土の上に設置されて植物の周囲をシートにより覆う植物栽培装置に用いられる植物栽培パネルであって、板状に形成されてその板面が前記土に接するように配置されるパネル本体を備え、前記パネル本体には、前記植物の根が前記土まで到達することを可能とする貫通孔が形成されていることを特徴とする。
【０００９】
上記構成によれば、土の上に設置されて植物の周囲をシートにより覆う植物栽培装置において、植物栽培パネルが用いられる。この植物栽培パネルは、板状に形成されてその板面が土に接するように配置されるパネル本体を備えているため、土の上に植物栽培パネルを設置するだけで手間なく土の表面を覆うことができる。したがって、この植物栽培パネルによれば、土の表面に張られるビニールシートと同様に、土側からの害虫の侵入を抑制することができる。
【００１０】
ここで、パネル本体には、植物の根が土まで到達することを可能とする貫通孔が形成されているため、この貫通孔を通じてパネル本体よりも下側の土まで植物の根を到達させることができる。したがって、パネル本体よりも下側の土の中の水分や養分を、植物の根から吸収させることができる。一方、植物の茎や葉をパネル本体よりも上側で成長させることができるため、植物の茎や葉の方へ土側から害虫が侵入することをパネル本体により抑制することができる。
【００１１】
その結果、簡易な構造の植物栽培パネルにより、土側から害虫が侵入することを手間なく抑制することができる。したがって、葉物野菜や生花等、根よりも上の部分が重要である植物の保護に有効である。
【００１２】
第２の発明では、第１の発明において、前記パネル本体の貫通孔において、前記土側に配置される端部の断面積がその反対側の端部の断面積よりも小さくされていることを特徴とする。
【００１３】
上記構成によれば、パネル本体の貫通孔において、土側に配置される端部すなわち下側に配置される端部の断面積を、土と反対側に配置される端部すなわち上側に配置される端部の断面積よりも小さくすることができる。このため、貫通孔の内部に、土と反対側に配置される端部から土を入れ易くなるとともに、その貫通孔の内部の土が、土側に配置される端部から落ちにくくなる。
【００１４】
したがって、パネル本体の貫通孔の内部に土を入れた状態で植物栽培パネルを運搬する場合に、貫通孔の内部から土が落ちることを抑制することができる。その結果、植物栽培パネルの貫通孔の内部に入れた土で植物を苗まで育てた後、植物栽培パネルを運搬して土の上に設置することが容易となる。
【００１５】
具体的には、第３の発明のように、第２の発明において、前記貫通孔の断面積は、前記土側に配置される端部側ほど小さくされているといった構成を採用することができる。こうした構成によれば、貫通孔の構成が複雑になることを抑制しつつ、貫通孔の内部に土を入れ易くするとともに、その貫通孔の内部の土が落ちにくいようにすることができる。
【００１６】
また、第４の発明のように、第２又は第３の発明において、前記貫通孔において前記土側に配置される端部には、前記貫通孔の断面の中心側へ突出する突出部が設けられているといった構成を採用することもできる。こうした構成によれば、貫通孔の内部の土を突出部によって下から支えることができるため、貫通孔の内部の土が更に落ちにくくなる。
【００１７】
第５の発明では、第１乃至第４のいずれかの発明において、前記パネル本体において、前記土と反対側に配置される板面にはその板面から互いに同じ長さで突出する複数の柱状部が設けられていることを特徴とする。
【００１８】
上記構成によれば、パネル本体において、土と反対側に配置される板面にはその板面から互いに同じ長さで突出する複数の柱状部が設けられているため、複数の植物栽培パネルを上下に積み重ねた場合に、下側のパネルの柱状部が上側のパネルに当接することとなる。このため、下側のパネルにおけるパネル本体の上面と、上側のパネルにおけるパネル本体の下面との間に空間を確保することができる。
【００１９】
したがって、植物栽培パネルの貫通孔の内部に入れた土で植物を苗まで育てた状態において、苗がパネル本体によって押し潰されることを抑制しつつ、複数の植物栽培パネルを上下に積み重ねることができる。
【００２０】
なお、パネル本体において、土側に配置される板面には上記柱状部を設ける必要がなく、植物栽培パネルを土の上に設置した場合に、パネル本体の下面と土の表面との間に隙間ができることを避けることができる。したがって、パネル本体よりも下側の土まで植物の根を到達させることが妨げられることはない。
【００２１】
第６の発明では、第５の発明において、前記パネル本体において前記土側に配置される板面には、前記柱状部に対応する位置に前記柱状部と係合可能な凹部が設けられていることを特徴とする。
【００２２】
上記構成によれば、複数の植物栽培パネルを上下に積み重ねた場合に、下側のパネル（詳しくはパネル本体）の上面に設けられた柱状部と、上側のパネルの下面に設けられた凹部とを係合させることができる。このため、上下に積み重ねられるパネルにおいて互いの位置決めが容易になるとともに、積み重ねられたパネルが互いにずれることを抑制することができる。
【００２３】
第７の発明は、第１乃至第６のいずれかの発明における植物栽培パネルと、前記シートと前記植物栽培パネルとの間に空間を形成した状態で前記シートを支持するフレーム部材とを備え、前記フレーム部材は、前記土に差し込まれる差込部と、この差込部が前記土に差し込まれた状態において、前記土の上に設置された前記植物栽培パネルを下方へ押圧可能な押圧部とを有することを特徴とする。
【００２４】
上記構成によれば、植物栽培装置においてフレーム部材は、シートと植物栽培パネルとの間に空間を形成した状態でシートを支持する。このため、植物とシートとが接触しない状態で、植物の周囲をシートにより覆うことができる。
【００２５】
ここで、フレーム部材の差込部が土に差し込まれた状態において、土の上に設置された植物栽培パネルを押圧部により下方へ押圧することができるため、パネル本体の下面と土の表面との間に隙間ができることを抑制することができる。その結果、パネル本体の貫通孔を通じて、パネル本体よりも下側の土まで植物の根を到達させることが容易となる。
【００２６】
第８の発明では、第７の発明において、前記押圧部は、前記フレーム部材において前記差込部の先端から所定長さ離れた部分から側方へ張り出す張出部を有することを特徴とする。
【００２７】
上記構成によれば、土の上に設置された植物栽培パネルに隣接させてフレーム部材が設置される場合に、上記所定長さからパネル本体の厚みを引いた長さだけ差込部が土に差し込まれた段階で、張出部がパネル本体に当接してこれを押圧することとなる。このため、フレーム部材の張出部がパネル本体に当接、すなわちパネル本体を押圧するまで差込部を土に差し込むことにより、フレーム部材の設置と植物栽培パネルを下方へ押圧することとを同時に行うことができる。したがって、これらのことを手間なく行うことができる。
【００２８】
さらに、フレーム部材の張出部がパネル本体に当接するまで差込部を土に差し込むことにより、差込部を土に差し込む長さを一定に調整し易くなるため、各フレーム部材の高さを揃え易くなる。
【００２９】
第９の発明では、第７又は第８の発明において、前記シートの端部には、長尺状に延びる縁部材が設けられ、前記フレーム部材において前記差込部の先端から所定長さ離れた部分には、前記縁部材と係合可能な縁部材係合部が設けられており、前記パネル本体の側面と前記シートとを密着させるように、前記縁部材係合部と前記縁部材とが係合していることを特徴とする。
【００３０】
上記構成によれば、シートの端部には、長尺状に延びる縁部材が設けられているため、シートの端部がめくれ上がることを縁部材により抑制することができる。そして、フレーム部材の差込部が土に差し込まれた状態において、差込部の先端から所定長さ離れた部分に設けられた縁部材係合部に縁部材を係合させることができる。
【００３１】
ここで、パネル本体の側面とシートとを密着させるように、縁部材係合部と縁部材とが係合しているため、パネル本体の側面とシートとの隙間から害虫が侵入することを抑制することができる。すなわち、シートよりも外側からの害虫の侵入を、パネル本体の側面とシートとの密着部により抑制することができる。
【００３２】
なお、フレーム部材において、差込部の先端から上記張出部が設けられる部分までの長さと、差込部の先端から上記縁部材係合部が設けられる部分までの長さとは、同一であってもよいし異なっていてもよい。
【００３３】
第１０の発明では、第７乃至第９のいずれかの発明において、前記パネル本体には、前記フレーム部材と係合可能なフレーム部材係合部が設けられていることを特徴とする。
【００３４】
上記構成によれば、フレーム部材を設置する際に、パネル本体に設けられたフレーム部材係合部にフレーム部材を係合させることができる。このため、植物栽培パネルとフレーム部材との位置決めを容易に行うことができ、ひいては植物栽培パネルとフレーム部材との位置がずれることを抑制することもできる。
【００３５】
なお、フレーム係合部が、フレーム部材と嵌合する溝や、フレーム部材を挿通させる挿通孔によって構成されている場合には、フレーム部材係合部によってフレーム部材を支えることもできる。
【００３６】
第１１の発明は、第１乃至第６のいずれかの発明における植物栽培パネルを用いた植物栽培方法であって、前記パネル本体の下面が前記土に接するように、前記植物栽培パネルを前記土の上に設置する工程と、前記貫通孔の内部に入れられた土と前記パネル本体よりも下側の前記土とで前記植物を生育する工程と、を備えることを特徴とする。
【００３７】
上記工程によれば、パネル本体の下面が土に接するように、植物栽培パネルが土の上に設置されるため、植物栽培パネルにより土側からの害虫の侵入を手間なく抑制することができる。
【００３８】
ここで、パネル本体には、植物の根が土まで到達することを可能とする貫通孔が形成されているため、この貫通孔を通じてパネル本体よりも下側の土まで植物の根を到達させることができる。そして、貫通孔の内部に入れられた土とパネル本体よりも下側の土とで植物が育てられるため、植物の根をパネル本体よりも下側まで十分に成長させることができる。
【００３９】
一方、植物の茎や葉をパネル本体よりも上側で成長させることができるため、植物の茎や葉の方へ土側から害虫が侵入することをパネル本体により抑制することができる。
【００４０】
第１２の発明では、第１１の発明において、前記植物栽培パネルを前記土の上に設置する工程の前に、前記パネル本体に形成された前記貫通孔の内部に土を入れる工程と、前記貫通孔の内部に入れられた土で植物を苗まで育てる工程と、を備えることを特徴とする。
【００４１】
従来、土の入れられたポット（育苗容器）等を用いて植物が苗まで育てられ、この苗が農場に移植されている。このため、苗の生育にポットが必要になるとともに、苗をポットから農場へ移植する手間が掛かる。
【００４２】
この点、上記工程によれば、植物栽培パネルのパネル本体に形成された貫通孔の内部に土が入れられ、この土で植物が苗まで育てられる。その後、植物栽培パネルが土の上に設置され、貫通孔の内部に入れられた土とパネル本体よりも下側の土とで植物が育てられる。このため、苗を生育するポットを不要とすることができるとともに、苗を移植する手間を省くことができる。
【００４３】
特に、第２乃至第４のいずれかの発明における植物栽培パネルを採用した場合には、植物栽培パネルが土の上に設置されるまでに、パネル本体の貫通孔の内部に土が入れられた状態で植物栽培パネルが運搬されたとしても、貫通孔の内部から土が落ちることを抑制することができる。
【００４４】
第１３の発明は、第７の発明における植物栽培装置を用いた植物栽培方法であって、前記パネル本体の下面が前記土に接するように、前記植物栽培パネルを前記土の上に設置する工程と、前記フレーム部材の差込部を前記土に差し込むとともに、前記土の上に設置された前記植物栽培パネルを前記押圧部により下方へ押圧する工程と、前記貫通孔の内部に入れられた土と前記パネル本体よりも下側の前記土とで前記植物を生育する工程と、を備えることを特徴とする。
【００４５】
上記工程によれば、フレーム部材の差込部が土に差し込まれるとともに、土の上に設置された植物栽培パネルが押圧部により下方へ押圧されるため、パネル本体の下面と土の表面との間に隙間ができることを抑制することができる。したがって、貫通孔の内部に入れられた土とパネル本体よりも下側の土とで植物を生育するに際して、パネル本体の貫通孔を通じて、パネル本体よりも下側の土まで植物の根を到達させることが容易となる。
【００４６】
第１４の発明は、第９の発明における植物栽培装置を用いた植物栽培方法であって、前記パネル本体の下面が前記土に接するように、前記植物栽培パネルを前記土の上に設置する工程と、前記パネル本体の側面と前記シートとを密着させるように、前記縁部材係合部と前記縁部材とを係合させる工程と、前記貫通孔の内部に入れられた土と前記パネル本体よりも下側の前記土とで前記植物を生育する工程と、を備えることを特徴とする。
【００４７】
上記工程によれば、パネル本体の側面とシートとを密着させるように、縁部材係合部と縁部材とが係合させられるため、パネル本体の側面とシートとの隙間から害虫が侵入することを抑制することができる。すなわち、シートよりも外側からの害虫の侵入を、パネル本体の側面とシートとの密着部により抑制することができる。
【図面の簡単な説明】
【００４８】
【図１】第１実施形態の野菜栽培ハウスを畑等に設置した状態を示す斜視図。
【図２】図１の野菜栽培ハウスの一部についての分解斜視図。
【図３】中間に配置される栽培パネルの平面図。
【図４】図３の４−４線断面図。
【図５】端部に配置される栽培パネルの平面図。
【図６】栽培パネルを多段に積層した状態を示す斜視図。
【図７】中間に配置されるフレーム部材の正面図。
【図８】端部に配置されるフレーム部材の正面図。
【図９】野菜栽培ハウスを用いた野菜の栽培方法の手順を示す模式図。
【図１０】第１実施形態における栽培パネルの変形例を示す拡大平面図。
【図１１】第１実施形態における栽培パネルの他の変形例を示す拡大平面図。
【図１２】第１実施形態における栽培パネルの他の変形例を示す拡大断面図。
【図１３】第１実施形態におけるフレーム部材の変形例を示す正面図。
【図１４】第１実施形態におけるフレーム部材の他の変形例を示す正面図。
【図１５】第２実施形態の野菜栽培ハウスを畑等に設置した状態を示す斜視図。
【図１６】図１５の野菜栽培ハウスについての分解斜視図。
【図１７】栽培パネルの平面図。
【図１８】栽培パネルの断面図。
【図１９】栽培パネルを多段に積層した状態を示す斜視図。
【図２０】固定部と縁部材とが嵌合した状態を示す拡大断面図。
【発明を実施するための形態】
【００４９】
（第１実施形態）
以下、第１実施形態について図面を参照しつつ説明する。本実施形態は、植物栽培装置を、畑等で葉物野菜を栽培するための野菜栽培ハウスとして具体化したものである。このハウス内では、例えばレタスや白菜、キャベツ等が栽培できるようになっている。図１は野菜栽培ハウスを畑等に設置した状態を示す斜視図である。
【００５０】
図１において、野菜栽培ハウス１０は、土の上に設置される複数の栽培パネル１１（１１Ｅ）と、その栽培パネル１１の上方に野菜栽培空間を形成するフレーム部材２１（２１Ｅ）と、そのフレーム部材２１に被せられるように設けられるメッシュシート３１とから構成されている。図１では、野菜栽培ハウス１０内において複数の葉物野菜（野菜苗Ｙ）が栽培されている状態が示されている。なお、ここでは、野菜栽培ハウス１０において、中間に設置された２枚の栽培パネル１１と、両端にそれぞれ設置された栽培パネル１１Ｅとを備えているが、中間に設置される栽培パネル１１の枚数は任意に変更することができる。
【００５１】
図２は、野菜栽培ハウス１０において、栽培パネル１１の１枚分に相当する部分の分解斜視図である。この野菜栽培ハウス１０が畑等に設置される以前においては、栽培パネル１１（野菜苗Ｙを含む）、フレーム部材２１及びメッシュシート３１が、図示のごとく分解された状態であることが示されている。なお、栽培パネル１１を示す図として、平面図を図３とし、図３の４−４線断面図を図４としている。
【００５２】
図２，３に示すように、栽培パネル１１（植物栽培パネル）は、略正方形の板状をなすパネル本体１５を有し、そのパネル本体１５には複数の貫通孔１６が形成されている。貫通孔１６は、貫通孔１６の内部の土Ｓａで育てられる野菜の根が、パネル本体１５よりも下側まで伸びることができるようにするものである。これら貫通孔１６はいずれも開口断面が正方形状をなし、平面視において縦横に等間隔で形成されている。
【００５３】
図４（ａ）とその部分拡大図である図４（ｂ）に示すように、貫通孔１６において、下側（土Ｓｂ側）に配置される端部の断面積は、上側に配置される端部の断面積よりも小さくなっている。詳しくは、貫通孔１６の断面積は、上側に配置される端部側から下側に配置される端部側へ向かうに連れて徐々に小さくされている。換言すれば、貫通孔１６の断面積は、下側に配置される端部側ほど小さくなっている。このため、縦断面視において、貫通孔１６の壁面はテーパ状に形成されている。
【００５４】
また、貫通孔１６において下側に配置される端部には、その端部における貫通孔１６の断面の中心側へ張り出す底部１６ａ（突出部）が形成されている。この底部１６ａは、貫通孔１６において下側に配置される端部の全周にわたって形成されている。すなわち、底部１６ａによって、貫通孔１６の下端部における断面積がより小さくされている。貫通孔１６は、その下端部において小孔部１６ｂを有している。
【００５５】
このように形成された貫通孔１６の内部には、土Ｓａが入れられてこの土Ｓａで野菜が苗Ｙまで育てられる。すなわち、貫通孔１６は、野菜を苗Ｙまで育てるためのポット（育苗容器）等を代用する。このため、貫通孔１６の長さ、ひいてはパネル本体１５の厚みは、貫通孔１６の内部の土Ｓａで野菜を苗Ｙまで育てることが可能な寸法に設定されている。
【００５６】
また、パネル本体１５の四隅には、それぞれ直角三角柱状の柱状部１７が形成されており、柱状部１７の直角部分がパネル本体１５の四隅の角と一致している。本実施形態では、各柱状部１７がパネル上面に対していずれも同じ高さに形成されている。図４（ａ）に示すように、パネル四隅の柱状部１７は、パネル本体１５の上面（上側に配置される板面）に対して上方に突出し、かつ同パネル本体１５の下面（土Ｓｂ側に配置される板面）に対して凹ませて形成されている。この場合、パネル本体１５の四隅においてパネル下面には凹部１７ａが形成されている。すなわち、パネル本体１５において土Ｓｂ側に配置される板面には、各柱状部１７に対応する位置に各柱状部１７と係合可能な凹部１７ａが形成されている。一方、パネル本体１５において土Ｓｂ側に配置される板面には、柱状部１７は設けられていない。
【００５７】
栽培パネル１１は複数のパネル同士が上下に積層可能になっており、その積層状態では、上下のパネル本体１５の間に所定寸法の隙間が形成されるようになっている。具体的には、上述したとおりパネル本体１５の四隅には柱状部１７が形成されており、下側の栽培パネル１１の柱状部１７の上端部が、上側の栽培パネル１１の凹部１７ａ（柱状部下方の凹部）に入り込むようにして、上下多段に栽培パネル１１が積層される。この場合、柱状部１７の上端部と凹部１７ａとの係合により、上側の栽培パネル１１と下側の栽培パネル１１との位置決めがなされるとともに、各段の栽培パネル１１の位置ずれが抑制される。
【００５８】
図６には、複数の栽培パネル１１を積層した状態を示しており、パネル四隅の柱状部１７は上下各段で互いに当接した状態となっている。こうしたパネル積層状態では、上下各段の栽培パネル１１のパネル本体１５間に所定の隙間が形成されている。このため、図示のごとく栽培パネル１１の貫通孔１６に野菜苗Ｙが配置された状態であっても、その野菜苗Ｙの葉等が押し潰されることはなく、野菜苗Ｙを良好な状態に保持したまま保管や運搬等を実施できる。
【００５９】
また、上述したように、貫通孔１６の断面積は、下側に配置される端部側ほど小さくなっているため、栽培パネル１１を積層や運搬する際に、貫通孔１６の内部から土Ｓａや野菜苗Ｙが落ちることを抑制することができる。さらに、貫通孔１６の下端部には底部１６ａが形成されているため、この底部１６ａによって土Ｓａを下から支えることができる。したがって、貫通孔１６の内部から土Ｓａや野菜苗Ｙが落ちることを更に抑制することができる。
【００６０】
図３に戻り、パネル本体１５の互いに対向する側面の1組には、パネル本体１５の両板面間にわたって延びる溝１８（フレーム部材係合部）がそれぞれ形成されている。この溝１８は、各側面において所定間隔をおいて形成されており、本実施形態では平面視においてパネル本体１５の両端部からそれぞれ４分の１の長さの位置に形成されている。溝１８では、その断面形状が半円形状となっており、上記フレーム部材２１が係合（詳しくは嵌合）可能なようにその寸法が設定されている。なお、フレーム部材２１と嵌合する溝１８を、フレーム部材２１を挿通させる挿通孔に変更することもできる。
【００６１】
なお、図５に、野菜栽培ハウス１０において、端部に配置される栽培パネル１１Ｅを示す。この栽培パネル１１Ｅは、中間に配置される栽培パネル１１の一部を省略した形状を有している。具体的には、平面視においてパネル本体１５の端部から略４分の１を省略した形状となっており、互いに対向する１組の溝１８Ｅを結ぶ線分よりも端部側の部分を切除した形状を有している。このため、栽培パネル１１Ｅの端部（栽培ハウス１０の端部）に位置する１組の溝１８Ｅに、フレーム部材２１Ｅを係合させることができる。
【００６２】
栽培パネル１１は、発泡スチロールなど、軽量でかつ所定の弾性及び断熱性を有する合成樹脂材にて形成されている。なお、栽培パネル１１の材料として、発泡スチロール以外の材料を使用することも可能であり、例えば、発泡ポリエチレン、発泡ウレタン等の弾性を有する合成樹脂材にて構成してもよい。
【００６３】
図７は、栽培パネル１１の溝１８に係合するフレーム部材２１を示している。このフレーム部材２１は、弓形に曲がったアーチ部２３と、このアーチ部２３の両端部からそれぞれ直線状に延びる支柱部２２とを有している。これらのアーチ部２３と支柱部２２とは、１本のパイプ材を変形させることにより、一体で形成されている。
【００６４】
各支柱部２２の端部には、パイプ材を潰すことにより、先の尖った尖端部２２ｂが形成されている。このため、支柱部２２の下端を土Ｓｂに差し込むことが容易となる。
【００６５】
支柱部２２において、尖端部２２ｂから所定長さの位置には、フレーム部材２１の側方（「Ｕ」字形状の内側）へ略垂直に張り出す板状の板部材２５（張出部）が設けられている。この板部材２５は、その板面が支柱部２２の軸線方向（上下方向）を向くように、支柱部２２に溶接されている。
【００６６】
板部材２５は、支柱部２２に対して反対側（「Ｕ」字形状の外側）へも延びており、この部分は支柱部２２に沿って曲げられて、上記メッシュシート３１を固定するための固定部２６となっている。この固定部２６と支柱部２２との間には、所定の隙間が形成されている。このため、メッシュシート３１の端部に設けられる縁部材４１を、固定部２６（縁部材係合部）に係合させることが可能となっている。また、固定部２６と支柱部２２との間隔は、固定部２６の端部では他の部分よりも広くなっており、固定部２６と支柱部２２との隙間に縁部材４１を挿入することが容易となっている。
【００６７】
支柱部２２において、板部材２５よりも下側（先端側）の部分は、土Ｓｂに差し込まれる差込部２２ａとなっている。すなわち、支柱部２２が土Ｓｂへ適切な長さだけ差し込まれるように、板部材２５の位置（差込部２２ａの長さ）が設定されている。そして、栽培パネル１１に隣接させてフレーム部材２１を設置する際に、板部材２５がパネル本体１５の上面に当接するまで差込部２２ａが土Ｓｂへ差し込まれる。
【００６８】
なお、図８に、野菜栽培ハウス１０において、端部に配置されるフレーム部材２１Ｅを示す。このフレーム部材２１Ｅは、中間に配置されるフレーム部材２１に所定の部材を付加等して形成されている。具体的には、各支柱部２２に設けられた板部材２５が、並列な支柱部２２間を互いに接続するように延びる板部材２５Ｅに変更されている。さらに、この板部材２５Ｅの両端部と中央部とにおいて、固定部２６と同様の構造を有する固定部２６Ｅが、固定部２６に対して略直角をなす方向に設けられている。そして、この固定部２６Ｅには、メッシュシート３１の端部に設けられる縁部材４１が係合される。
【００６９】
また、板部材２５Ｅの中央部とアーチ部２３の頂部（中央部）とを連結する中央支柱部２７が設けられている。このため、アーチ部２３は、支柱部２２に加えて、中央支柱部２７によっても支持される。
【００７０】
図２に示すように、メッシュシート３１の端部には、長尺状に延びる角柱状の縁部材４１が設けられる。このため、縁部材４１により、メッシュシート３１の端部がめくれ上がることが抑制される。本実施形態では、縁部材４１の長さは、栽培パネル１１の一辺の長さと等しくされている。このため、栽培パネル１１の枚数に対応して縁部材４１が設けられる。なお、縁部材４１の長さを、栽培パネル１１の一辺の長さの整数倍等に設定してもよい。
【００７１】
縁部材４１の厚み（最も短い辺の長さ）は、フレーム部材２１の支柱部２２に設けられた固定部２６と支柱部２２との間隔よりも、若干小さく設定されている。そして、メッシュシート３１の端部を縁部材４１の外周に数回巻き付けた状態で、固定部２６と支柱部２２との隙間に縁部材４１を下方から挿入する。これにより、固定部２６に縁部材４１が嵌合して、メッシュシート３１の端部が固定される。
【００７２】
次に、図９の模式図を参照して、野菜栽培ハウス１０を用いた野菜の栽培方法の手順を以下に説明する。
【００７３】
まず、図９（ａ）に示すように、野菜栽培工場の屋内や一般のビニールハウス内において、栽培パネル１１（１１Ｅ）を用意する。このとき、栽培パネル１１を載置する場所は、土の上である必要はなく屋内の床や棚等の上でよい。
【００７４】
図９（ｂ）に示すように、この栽培パネル１１の貫通孔１６の内部に土Ｓａを入れる。ここで、貫通孔１６の断面積は、上端側から下端側へ向かうに連れて徐々に小さくされている。このため、貫通孔１６の上端から容易に土Ｓａを入れることができるとともに、下端から外部へ土Ｓａが漏れ出ることが抑制される。さらに、貫通孔１６の下端部には、その断面の中心側へ張り出す底部１６ａ（図示略）が形成されており、貫通孔１６の断面積が更に小さくされている。このため、貫通孔１６の下端部（小孔部１６ｂ）から外部へ土Ｓａが漏れ出ることが一層抑制される。
【００７５】
この土Ｓａに野菜の種を蒔いた後、図９（ｃ）に示すように、土Ｓａで野菜を苗Ｙまで育てる。このとき、栽培パネル１１は床や棚等の上に載置されているため、栽培パネル１１を土の上に載置する場合と比較して、栽培パネル１１の下の土側から害虫が侵入することを抑制することができる。さらに、栽培パネル１１は屋内に載置されているため、屋外から害虫が侵入することを抑制することができる。その結果、野菜苗Ｙに害虫が付くことを抑制することができる。
【００７６】
なお、栽培パネル１１の下面側から害虫が侵入することを、パネル本体１５で抑制することができるため、栽培パネル１１を土の上に載置してもよい。また、野菜が種から苗Ｙへ成長するまでの期間において、野菜へと飛来する害虫が問題にならないのであれば、屋外で野菜を種から苗Ｙまで育ててもよい。
【００７７】
野菜を苗Ｙまで育てた後、図９（ｄ）に示すように、栽培パネル１１を車両Ｃの荷台等へ上下に積み重ねて載せ、野菜苗Ｙを成長させる畑等へと運搬する。ここで、貫通孔１６の断面積は、下側に配置される端部側ほど小さくなっているため、貫通孔１６の内部から土Ｓａや野菜苗Ｙが落ちることを抑制することができる。さらに、貫通孔１６の下端部に形成された底部１６ａによって、土Ｓａが下から支えられるため、貫通孔１６の内部から土Ｓａや野菜苗Ｙが落ちることを効果的に抑制することができる。
【００７８】
なお、野菜苗Ｙの根ｒが土Ｓａの中で伸びているため、この根ｒによって土Ｓａの形状が維持され易くなる。根ｒは、貫通孔１６の内部で納まっていてもよいし、貫通孔１６の下端部（小孔部１６ｂ）からはみ出していてもよい。
【００７９】
図９（ｅ）に示すように、畑等の土Ｓｂの上に、野菜苗Ｙを含む栽培パネル１１を設置する。このとき、パネル本体１５の下面（板面）が土Ｓｂに接するように、好ましくはパネル本体１５の下面と土Ｓｂとの間にできるだけ隙間ができないように、栽培パネル１１を設置する。例えば、パネル本体１５の下面を土Ｓｂに押し付けながら、栽培パネル１１を細かく往復動や回動させるとよい。
【００８０】
図９（ｅ），（ｆ）に示すように、フレーム部材２１の差込部２２ａを土Ｓｂに差し込むとともに、パネル本体１５の溝１８に差込部２２ａを係合（詳しくは嵌合）させる。そして、フレーム部材２１の板部材２５がパネル本体１５の上面に当接して、板部材２５（押圧部）がパネル本体１５を下方に押圧するまで、差込部２２ａを土Ｓｂに差し込む。詳しくは、差込部２２ａの先端から板部材２５までの長さから、パネル本体１５の厚みを引いた長さだけ、差込部２２ａを土Ｓｂに差し込んだ段階で、板部材２５がパネル本体１５の上面に当接することとなる。そして、パネル本体１５が下方に押圧されることにより、パネル本体１５の下面と土Ｓｂとの間に隙間ができることが抑制され、野菜の根ｒが貫通孔１６（詳しくは小孔部１６ｂ）を通じて土Ｓｂまで伸びる（成長する）ことが容易となる。
【００８１】
図９（ｇ）に示すように、フレーム部材２１に被せるようにして、メッシュシート３１を栽培ハウス１０の全長にわたって配置する。このとき、メッシュシート３１において、フレーム部材２１の固定部２６側の端部（メッシュシート３１の幅方向の端部）では、メッシュシート３１が余った状態となる。このメッシュシート３１の端部（余り部分）を縁部材４１の外周に数回巻き付けて、メッシュシート３１の幅方向の長さを調節する。なお、野菜栽培ハウス１０の端部に配置されるフレーム部材２１Ｅでは、フレーム部材２１Ｅの中央支柱部２７に沿ってメッシュシート３１を下方へ折り曲げて、上記と同様にしてメッシュシート３１の長さを調節する。
【００８２】
そして、縁部材４１をフレーム部材２１（２１Ｅ）の固定部２６（２６Ｅ）に係合させる。このとき、固定部２６と差込部２２ａとの間隔は、固定部２６の先端側で広くなっているため、固定部２６と差込部２２ａとの隙間に縁部材４１を容易に挿入することができる。
【００８３】
また、メッシュシート３１とパネル本体１５の側面とが、縁部材４１によって密着させられた状態となる。このようにして設置されたメッシュシート３１は、その張力によって縁部材４１を引っ張ることとなり、縁部材４１が固定部２６から外れることが抑制される。そして、野菜の周囲に張られたメッシュシート３１により、害虫が野菜へと飛来することを抑制することができる。
【００８４】
こうして栽培ハウス１０を設置した後、図９（ｈ）に示すように、野菜苗Ｙを野菜Ｙａへと成長させる。このとき、野菜Ｙａの茎や葉はパネル本体１５よりも上側で成長するとともに、野菜Ｙａの根ｒは貫通孔１６を通じてパネル本体１５よりも下側の土Ｓｂまで伸びることができる。このため、土側から害虫が侵入すること、ひいては害虫が野菜Ｙａの茎や葉に付くことを、パネル本体１５によって抑制することができる。また、野菜Ｙａは、パネル本体１５よりも下側の土Ｓｂまで伸びた根ｒにより、土Ｓｂの中の水分や養分を吸収することができる。
【００８５】
なお、野菜栽培ハウス１０は、野菜の栽培に何度も繰り返し使用することが可能である。すなわち、野菜Ｙａの収穫が終わった後に野菜栽培ハウス１０を解体し、栽培パネル１１の貫通孔１６の内部から土Ｓａ及び野菜の根ｒを取り除くことにより、野菜栽培ハウス１０を再度使用することができる。
【００８６】
以上詳述した本実施形態は以下の利点を有する。
【００８７】
・栽培パネル１１は、板状に形成されてその板面が畑等の土Ｓｂに接するように配置されるパネル本体１５を備えているため、土Ｓｂの上に栽培パネル１１を設置するだけで土Ｓｂの表面を覆うことができる。したがって、この栽培パネル１１によれば、土Ｓｂ側からの害虫の侵入を手間なく抑制することができる。
【００８８】
ここで、パネル本体１５には、野菜Ｙａの根ｒが畑等の土Ｓｂまで到達することを可能とする貫通孔１６（小孔部１６ｂ）が形成されているため、この貫通孔１６を通じてパネル本体１５よりも下側の土Ｓｂまで野菜Ｙａの根ｒを到達させることができる。そして、野菜Ｙａの根ｒをパネル本体１５よりも下側の土Ｓｂまで十分に成長させて、土Ｓｂの中の水分や養分を野菜Ｙａの根ｒから吸収させることができる。一方、野菜Ｙａの茎や葉をパネル本体１５よりも上側で成長させることができるため、野菜Ｙａの茎や葉の方へ土Ｓｂ側から害虫が侵入することを、パネル本体１５によって抑制することができる。
【００８９】
その結果、簡易な構造の栽培パネル１１により、土Ｓｂ側から害虫が侵入することを手間なく抑制することができる。したがって、レタスや白菜、キャベツ等の葉物野菜において、根ｒよりも上の重要な部分を保護することができる。
【００９０】
・パネル本体１５の貫通孔１６において、下端部の断面積（小孔部１６ｂの断面積）が、上端部の断面積よりも小さくされている。このため、貫通孔１６の内部に、上端から土Ｓａを入れ易くすることができるとともに、その貫通孔１６の内部の土Ｓａが下端から落ちにくくすることができる。したがって、パネル本体１５の貫通孔１６の内部に土Ｓａを入れた状態で栽培パネル１１を運搬する際に、貫通孔１６の内部から土Ｓａが落ちることを抑制することができる。その結果、貫通孔１６の内部に入れた土Ｓａで野菜を苗Ｙまで育てた後、栽培パネル１１を運搬して畑等の土Ｓｂの上に設置することが容易となる。
【００９１】
・貫通孔１６の断面積は、土Ｓｂ側に配置される端部側、すなわち下端側ほど小さくされている。このため、貫通孔１６の構成が複雑になることを抑制しつつ、貫通孔１６の内部に土Ｓａを入れ易くするとともに、その貫通孔１６の内部の土Ｓａが落ちにくいようにすることができる。
【００９２】
・貫通孔１６の下端部には、貫通孔１６の断面の中心側へ突出する底部１６ａが設けられているため、貫通孔１６の内部の土Ｓａを底部１６ａによって下から支えることができる。したがって、貫通孔１６の内部の土Ｓａが更に落ちにくくなる。
【００９３】
・パネル本体１５には、その板面（上面）から互いに同じ長さで突出する複数の柱状部１７が設けられている。このため、複数の栽培パネル１１を上下に積み重ねた場合に、下側のパネル１１におけるパネル本体１５の上面と、上側のパネル１１におけるパネル本体１５の下面との間に空間を確保することができる。したがって、栽培パネル１１の貫通孔１６の内部に入れた土Ｓａで野菜を苗Ｙまで育てた状態において、苗Ｙがパネル本体１５によって押し潰されることを抑制しつつ、複数の栽培パネル１１を上下に積み重ねることができる。
【００９４】
そして、パネル本体１５の下面には上記柱状部１７が設けられていないため、栽培パネル１１を土Ｓｂの上に設置した場合に、パネル本体１５の下面と土Ｓｂの表面との間に隙間ができることを避けることができる。したがって、パネル本体１５よりも下側の土Ｓｂまで野菜Ｙａの根ｒを到達させることが、柱状部１７によって妨げられることはない。
【００９５】
・複数の栽培パネル１１を上下に積み重ねた場合に、下側のパネル１１（詳しくはパネル本体１５）の上面に設けられた柱状部１７と、上側のパネル１１の下面に設けられた凹部１７ａとを係合させることができる。このため、上下に積み重ねられるパネル１１において互いの位置決めが容易になるとともに、積み重ねられたパネル１１が互いにずれることを抑制することができる。
【００９６】
・フレーム部材２１の差込部２２ａが畑等の土Ｓｂに差し込まれた状態において、土Ｓｂの上に設置された栽培パネル１１を板部材２５により下方へ押圧することができる。このため、パネル本体１５の下面と土Ｓｂの表面との間に隙間ができることを抑制することができる。その結果、パネル本体１５の貫通孔１６（小孔部１６ｂ）を通じて、パネル本体１５よりも下側の土Ｓｂまで野菜Ｙａの根ｒを到達させることが容易となる。また、畑等において雨水が溜まったとしても、板部材２５により栽培パネル１１の浮き上がりを抑制することができる。
【００９７】
・フレーム部材２１の板部材２５がパネル本体１５に当接、すなわちパネル本体１５を押圧するまで差込部２２ａを土Ｓｂに差し込むことにより、フレーム部材２１の設置と栽培パネル１１を下方へ押圧することとを同時に行うことができる。したがって、これらのことを手間なく行うことができる。さらに、フレーム部材２１の板部材２５がパネル本体１５に当接するまで、差込部２２ａを土Ｓｂに差し込むことにより、差込部２２ａを土Ｓｂに差し込む長さを一定に調整し易くなる。このため、各フレーム部材２１の高さを揃え易くなる。
【００９８】
・パネル本体１５の側面とメッシュシート３１とを密着させるように、フレーム部材２１の固定部２６と縁部材４１とが係合しているため、パネル本体１５の側面とメッシュシート３１との隙間から害虫が侵入することを抑制することができる。すなわち、メッシュシート３１よりも外側からの害虫の侵入を、パネル本体１５の側面とメッシュシート３１との密着部により抑制することができる。このため、従来と比較して、メッシュシート３１と土Ｓｂとの隙間を埋めるように土寄せ等することが不要となる。さらに、固定部２６に縁部材４１が嵌合することにより、メッシュシート３１が風により飛ばれることを抑制することができる。
【００９９】
・フレーム部材２１を設置する際に、パネル本体１５に形成された溝１８にフレーム部材２１を嵌合させることができる。このため、栽培パネル１１とフレーム部材２１との位置決めを容易に行うことができ、ひいては栽培パネル１１とフレーム部材２１との位置が互いにずれることを抑制することができる。さらに、溝１８によってフレーム部材２１を支えることもできる。
【０１００】
なお、上記第１実施形態を、以下のように変形して実施することもできる。
【０１０１】
・フレーム部材２１において、差込部２２ａの先端（尖端部２２ｂ）から板部材２５が設けられる部分までの長さと、差込部２２ａの先端から固定部２６が設けられる部分までの長さとを異ならせてもよい。例えば、差込部２２ａの先端から固定部２６が設けられる部分までの長さを、差込部２２ａの先端から板部材２５が設けられる部分までの長さよりも短くしてもよい。こうした構成によれば、板部材２５よりも下側において、固定部２６と縁部材４１とが係合するため、メッシュシート３１の端部と畑等の土Ｓｂと間に隙間ができることを抑制することができる。その結果、メッシュシート３１の外部から害虫が侵入することを更に抑制することができる。
【０１０２】
・上記実施形態では、貫通孔１６において下側に配置される端部には、その全周にわたって底部１６ａ（突出部）を形成したが、図１０に示すように、貫通孔２１６の下端部の一部に突出部２１６ａを形成してもよい。また、図１１に示すように、貫通孔３１６の下端部に複数の小孔部３１６ｂを形成するようにしてもよい。これらの構成によれば、貫通孔２１６の内部に入れた土Ｓａを下から支えることができるとともに、野菜Ｙａの根ｒをパネル本体１５よりも下側へ伸ばし易くすることができる。
【０１０３】
・上記実施形態では、貫通孔１６において下側に配置される端部に底部１６ａを形成したが、図１２に示すように、こうした底部１６ａを省略した貫通孔４１６を形成するようにしてもよい。こうした構成によっても、貫通孔４１６の断面積は、下側に配置される端部側ほど小さくなっているため、貫通孔４１６に土Ｓａを入れ易くすることができるとともに、貫通孔４１６の内部から土Ｓａが落ちることを抑制することができる。なお、縦断面視において、貫通孔４１６の壁面が直線となるように形成されていてもよいし、曲線となるように形成されていてもよい。また、貫通孔１６，４１６の横断面形状（平面視での形状）は、矩形状に限らず、円形状や六角形状等、任意の形状を採用することができる。
【０１０４】
・上記実施形態では、貫通孔１６の断面積は、下側に配置される端部側ほど小さくなっていたが、上端部と下端部との中間部の断面積が最も大きい形状等を採用することもできる。要するに、パネル本体１５の貫通孔１６において、土Ｓｂ側の端部の断面積が、土Ｓｂと反対側の端部の断面積よりも小さい構成であれば、上端から貫通孔１６の内部に土Ｓａを入れ易くすることができるとともに、下端から土Ｓａが落ちることを抑制することができる。
【０１０５】
・上記実施形態では、板部材２５（固定部２６）は支柱部２２に溶接されていたが、フレーム部材２１を野菜栽培ハウス１０に設置した後に、板部材２５や固定部２６を支柱部２２に取付けるようにしてもよい。この場合には、支柱部２２において、板部材２５や固定部２６を取付ける取付け部や、板部材２５や固定部２６の取付け位置を示す印等が設けられていることが望ましい。
【０１０６】
・上記実施形態では、板部材２５によって栽培パネル１１のパネル本体１５を押圧するようにしたが、図１３に示すように、支柱部２２の中間を屈曲させて屈曲部２２ｃを形成し、この屈曲部２２ｃによりパネル本体１５を押圧するようにしてもよい。また、支柱部２２の中間に段部を設けて、この段部によりパネル本体１５を押圧するようにしてもよい。なお、これらの場合には、メッシュシート３１の端部に設けられる縁部材４１を係合するための構造を別途設けることが望ましい。
【０１０７】
要するに、フレーム部材２１の差込部２２ａが畑等の土Ｓｂに差し込まれた状態において、土Ｓｂの上に設置された栽培パネル１１を下方へ押圧可能な押圧部が設けられていれば、パネル本体１５の下面と土Ｓｂの表面との間に隙間ができることを抑制することができる。なお、こうした押圧部が省略されたフレーム部材２１を採用することもできる。
【０１０８】
・図１４に示すように、フレーム部材２１においてアーチ部２３の中央の下部に、ホース等を掛けることを可能とするフック２２９を設けてもよい。フック２２９は、「Ｃ」字状に形成されており、その開口部が側方に位置している。こうした構成によれば、各フレーム部材２１のフック２２９に順にホースを掛け渡し、このホースに適宜設けた複数の連通孔から水や農薬等を噴出させることができる。その結果、野菜栽培ハウス１０内に水や農薬等を撒くことが容易となる。
【０１０９】
（第２実施形態）
以下、第２実施形態について図面を参照しつつ説明する。本実施形態では、野菜栽培ハウスを小規模にしており、１枚の栽培パネルを単位として野菜栽培ハウスを構成している。また、野菜苗は、ポット等で種から苗まで育てられた後、ポット等からパネル本体の貫通孔に移植される。図１５は野菜栽培ハウスを畑等に設置した状態を示す斜視図である。
【０１１０】
図１５において、野菜栽培ハウス１１０は、地面に設置される栽培パネル１１１と、その栽培パネル１１１の上方に野菜栽培空間を形成するフレームユニット１２１と、そのフレームユニット１２１に被せられるように設けられる網カバー１３１とから構成されている。図１５では、野菜栽培ハウス１１０内において複数の葉物野菜（野菜苗Ｙ）が栽培されている状態が示されている。
【０１１１】
図１６は、野菜栽培ハウス１１０（植物栽培装置）の分解斜視図であり、野菜栽培ハウス１１０が畑等に設置される以前においては、栽培パネル１１１、フレームユニット１２１及び網カバー１３１が図示のごとく分解された状態であることが示されている。なお、栽培パネル１１１の構成図として平面図を図１７とし、図１７のＡ−Ａ線断面図を図１８（ａ）、図１７のＢ−Ｂ線断面図を図１８（ｂ）としている。
【０１１２】
栽培パネル１１１は、矩形板状をなすパネル本体１１５を有し、そのパネル本体１１５には複数の貫通孔１１６が形成されている。貫通孔１１６は、貫通孔１６の内部の土で育てられる野菜の根が、パネル本体１５よりも下側まで伸びることができるようにするものである。これら貫通孔１１６はいずれも開口断面が円形をなし、平面視において縦横に等間隔で形成されている。本実施形態では、貫通孔１１６の断面積は、上端から下端まで一定となっている。この貫通孔１１６が野菜の植え付け部となる。
【０１１３】
図１８（ｂ）には、貫通孔１１６に挿入配置される野菜苗Ｙ（レタス苗等）を一点鎖線で示している。野菜苗Ｙは、例えばポットで育苗された後、ポットから貫通孔１１６に移植される。このため、貫通孔１１６は、ポットの径寸法に合わせた内径寸法で形成されていることが望ましい。
【０１１４】
また、パネル本体１１５の四隅と中央部とにはそれぞれ角柱状の突起部１１７，１１９（柱状部）が形成されている。本実施形態では、各突起部１１７，１１９がパネル上面に対していずれも同じ高さに形成されている。図１８（ａ）に示すように、パネル四隅の突起部１１７は、パネル本体１１５の上面（上側に配置される板面）に対して上方に突出し、かつ同パネル本体１１５の下面（土Ｓｂ側に配置される板面）に対して凹ませて形成されている。この場合、パネル本体１１５の四隅においてパネル下面には凹部１１７ａが形成されている。また、図１８（ｂ）に示すように、パネル中央部の突起部１１９は、パネル本体１１５の上面に対して上方に突出して形成されており、同突起部１１９の下方においてパネル本体１１５の下面には凹部１１９ａが形成されている。すなわち、パネル本体１１５において土Ｓｂ側に配置される板面には、各突起部１１７，１１９に対応する位置に、各突起部１１７，１１９とそれぞれ係合可能な凹部１１７ａ，１１９ａが形成されている。一方、この板面には、突起部１１７，１１９は設けられていない。
【０１１５】
ここで、図１７及び図１８（ａ）に示すように、突起部１１７はパネル本体１１５の側面よりも内側に入り込んでいる。すなわち、突起部１１７においてパネル本体１１５の側面側に位置する側面と、パネル本体１１５の側面との間には、段部が形成されている。そして、フレームユニット１２１の脚部がこの段部に係合し、脚部の表面とパネル本体１１５の側面とが一致するようになる。
【０１１６】
栽培パネル１１１は複数のパネル同士が上下に積層可能になっており、その積層状態では、上下のパネル本体１１５の間に所定寸法の隙間が形成されるようになっている。具体的には、下側の栽培パネル１１１の突起部１１７，１１９の上端部が、上側の栽培パネル１１の凹部１１７ａ，１１９ａ（突起部下方の凹部）に入り込むようにして、上下多段に栽培パネル１１１が積層される。この場合、突起部１１７，１１９の上端部と凹部１１７ａ，１１９ａとの係合により、各段の栽培パネル１１１の位置ずれが抑制される。また、パネル中央部の突起部１１９により、パネル本体１１５の中央部における撓み変形が抑制される。
【０１１７】
図１９には、複数の栽培パネル１１１を積層した状態を示しており、各突起部１１７，１１９は上下各段で互いに当接した状態となっている。
【０１１８】
栽培パネル１１１は、第１実施形態と同様に、発泡スチロールなど、軽量でかつ所定の弾性及び断熱性を有する合成樹脂材にて形成されている。
【０１１９】
図１６に戻り、フレームユニット１２１（フレーム部材）は、栽培パネル１１１とほぼ同形状及び同寸法をなす上フレーム部１２２と、その四隅に設けられた脚部１２３とを有している。
【０１２０】
上フレーム部１２２は、矩形の枠状に形成されており、その各角部には面取り加工又はＲ加工が施されている。このため、網カバー１３１の網部１３２（シート）が上フレーム部１２２の角部に引っ掛かることを抑制することができる。上フレーム部１２２の対向する二辺の1組には、それらを掛け渡すように弓形のアーチ部１２５が設けられている。アーチ部１２５は、上フレームにおいて各辺の中央に設けられている。このアーチ部１２５によって、網カバー１３１の垂れ下がりが抑制される。
【０１２１】
脚部１２３（差込部）は、アングル等により形成されており、その角部分が外側に位置するように上フレーム部１２２に取り付けられている。脚部１２３の先端は、畑等の土Ｓｂに差し込み易いように斜めにカットされている。
【０１２２】
上フレーム部１２２には脚差込み口が形成されており、この差込み口に脚部１２３を差し込むことで、上フレーム部１２２に対して脚部１２３が一体化される。なお、上フレーム部１２２と脚部１２３との一体化構造は任意であり、これらをねじ締結する構造等を採用することもできる。
【０１２３】
また、脚部１２３には、網カバー１３１を固定するために用いる固定部１２６が設けられている。この固定部１２６と脚部１２３との間には、所定の隙間が形成されている。脚部１２３において、固定部１２６よりも下側（先端側）の部分が、土Ｓｂに差し込まれる部分となる。すなわち、脚部１２３が土Ｓｂへ適切な長さだけ差し込まれるように、固定部１２６の位置が設定されている。
【０１２４】
網カバー１３１は、上面部と四方の側面部とからなる網部１３２を有しており、この網部１３２がフレームユニット１２１に被せられるようになっている。具体的には、網部１３２は、下面の開口した直方体状に形成されている。網部１３２の内寸法は、フレームユニット１２１の外寸法よりも若干大きく設定されている。
【０１２５】
網部１３２の側面部には、その下端部に縁部材１４１が取り付けられている。この縁部材１４１の構成は、第１実施形態の縁部材４１の構成に準じている。本実施形態では、網部１３２の端部に縁部材１４１が固定されており、脚部１２３に設けられた固定部１２６と脚部１２３との隙間に縁部材１４１を上方から挿入する。これにより、固定部１２６と縁部材１４１とが嵌合して、網カバー１３１の端部が固定される。
【０１２６】
図２０に、脚部１２３に設けられた固定部１２６と、網カバー１３１の端部に設けられた縁部材１４１とが嵌合した状態を示す。
【０１２７】
上述したように、突起部１１７においてパネル本体１１５の側面側（図の右側）の側面と、パネル本体１１５の側面との間には、段部が形成されている。そして、フレームユニット１２１の脚部１２３がこの段部に係合し、脚部１２３の表面とパネル本体１１５の側面とが一致している。このため、固定部１２６に縁部材１４１が嵌合した状態では、縁部材１４１とパネル本体１１５の側面とが密着した状態となる。したがって、この密着部によって、土Ｓｂ側からの害虫の侵入を抑制することができる。
【０１２８】
また、縁部材１４１が土Ｓｂにめり込んだ状態となっているため、地表の害虫が網部１３２よりも外側（図の右側）から内側（図の左側）へ侵入することを抑制することができる。すなわち、本実施形態では、縁部材１４１を上方から固定部１２６に嵌合させる構成のため、縁部材１４１を土Ｓｂにめり込ませた状態にすることが容易となる。
【０１２９】
次に、野菜栽培ハウス１１０の設置手順を以下に説明する。
【０１３０】
まず、野菜苗Ｙを含む栽培パネル１１１を畑等の土Ｓｂ上に設置する。このとき、栽培パネル１１１の各貫通孔１１６には、ポットで育てられた野菜苗Ｙが既に移植された状態となっている。そして、下部よりも上部が大きいポットの形状を維持する土Ｓａの上部が、貫通孔１６の上端縁で支えられた状態となっている。このため、野菜苗Ｙが貫通孔の内部から落ちることを抑制することができる。また、野菜苗Ｙの根が土Ｓａの形状を維持するように働いている。
【０１３１】
なお、野菜苗Ｙが移植されていない栽培パネル１１１を畑等の土Ｓｂ上に設置し、その後、栽培パネル１１１の各貫通孔１１６に土Ｓａを入れて、この土Ｓａで野菜を種から苗Ｙまで育てる手順であってもよい。
【０１３２】
いずれにしても、野菜苗Ｙを畑の土Ｓｂの上に設置する際に、従来のような野菜苗Ｙに畑の土Ｓｂを被せる等の作業が不要であり、野菜栽培ハウス１１０で野菜苗Ｙを成長させることができる状態にするための作業を簡易化することができる。
【０１３３】
その後、栽培パネル１１１に対してフレームユニット１２１を組み付ける。このとき、パネル本体１１５の四隅に設けられた各突起部１１７の外面に、フレームユニット１２１の各脚部１２３の内面を当接させる。このため、栽培パネル１１１とフレームユニット１２１との位置決めを容易に行うことができるとともに、これらが互いにずれることを抑制することができる。
【０１３４】
そして、フレームユニット１２１の上方から網カバー１３１を被せて、フレームユニット１２１に網カバー１３１を固定する。このとき、フレームユニット１２１の脚部１２３に設けられた固定部１２６に、網部１３２の端部に設けられた縁部材１４１を上方から嵌合させる。その際に、縁部材１４１の下部が土Ｓｂにめり込んだ状態とする。
【０１３５】
こうして野菜栽培ハウス１１０を設置した後、第１実施形態と同様にして、野菜苗Ｙを成長させる。このとき、野菜の茎や葉はパネル本体１１５よりも上側で成長するとともに、野菜の根は貫通孔１１６を通じてパネル本体１１５よりも下側の土Ｓｂまで伸びることができる。
【０１３６】
なお、野菜栽培ハウス１１０も、第１実施形態と同様に、野菜の栽培に何度も繰り返し使用することが可能である。
【０１３７】
以上詳述した本実施形態は以下の利点を有する。
【０１３８】
・畑等の土Ｓｂの上に栽培パネル１１１を設置するだけで土Ｓｂの表面を覆うことができる。したがって、この栽培パネル１１１によれば、土Ｓｂ側からの害虫の侵入を手間なく抑制することができる。
【０１３９】
野菜の根をパネル本体１１５よりも下側の土Ｓｂまで十分に成長させて、土Ｓｂの中の水分や養分を野菜の根から吸収させることができる。一方、野菜の茎や葉をパネル本体１１５よりも上側で成長させることができるため、野菜の茎や葉の方へ土Ｓｂ側から害虫が侵入することをパネル本体１１５によって抑制することができる。
【０１４０】
その結果、簡易な構造の栽培パネル１１１により、土Ｓｂ側から害虫が侵入することを手間なく抑制することができる。したがって、レタスや白菜、キャベツ等の葉物野菜において、根よりも上の重要な部分を保護することができる。
【０１４１】
・パネル本体１１５において、土Ｓｂと反対側に配置される板面（上面）には、その板面から互いに同じ長さで突出する複数の突起部１１７，１１９が設けられている。このため、複数の栽培パネル１１１を上下に積み重ねた場合に、下側のパネル１１１におけるパネル本体１１５の上面と、上側のパネル１１１におけるパネル本体１１５の下面との間に空間を確保することができる。したがって、野菜苗Ｙがパネル本体１１５によって押し潰されることを抑制しつつ、複数の栽培パネル１１１を上下に積み重ねることができる。
【０１４２】
そして、パネル本体１１５の下面には上記突起部１１７，１１９が設けられていないため、栽培パネル１１１を土Ｓｂの上に設置した場合に、パネル本体１１５の下面と土Ｓｂの表面との間に隙間ができることを避けることができる。したがって、パネル本体１１５よりも下側の土Ｓｂまで野菜の根を到達させることが、突起部１１７，１１９によって妨げられることはない。
【０１４３】
・複数の栽培パネル１１１を上下に積み重ねた場合に、下側のパネル１１１（詳しくはパネル本体１１５）の上面に設けられた突起部１１７と、上側のパネル１１１の下面に設けられた凹部１１７ａ，１１９ａとを係合させることができる。このため、上下に積み重ねられるパネル１１１において互いの位置決めが容易になるとともに、積み重ねられたパネル１１１が互いにずれることを抑制することができる。
【０１４４】
・フレームユニット１２１の脚部１２３に設けられた固定部１２６が、畑等の土Ｓｂに対して所定量だけめり込むまで、脚部１２３を土Ｓｂに差し込むことにより、各脚部１２３を土Ｓｂに差し込む長さを揃え易くなる。このため、フレームユニット１２１の上面を水平に調整することが容易となる。
【０１４５】
・パネル本体１１５の側面と網カバー１３１の端部に設けられた縁部材１４１とを密着させるように、固定部１２６と縁部材１４１とが嵌合しているため、パネル本体１１５の側面と縁部材１４１との隙間から害虫が侵入することを抑制することができる。すなわち、網カバー１３１よりも外側からの害虫の侵入を、パネル本体１１５の側面と縁部材１４１との密着部により抑制することができる。
【０１４６】
なお、上記第２実施形態を、以下のように変形して実施することもできる。
【０１４７】
・フレームユニット１２１において、各脚部１２３が内側に折り畳み可能な構成であってもよい。こうした構成によれば、複数のフレームユニット１２１をまとめて運搬するのに好都合であるとともに、上フレーム部１２２と脚部１２３との組付けを容易化することができる。
【０１４８】
・第１実施形態と同様に、フレームユニット１２１の脚部１２３が畑等の土Ｓｂに差し込まれた状態において、土Ｓｂの上に設置された栽培パネル１１１を下方へ押圧可能な押圧部を設けるようにしてもよい。
【０１４９】
・パネル本体１１５の貫通孔１１６を、第１実施形態の貫通孔１６及びその変形例と同様の構成に変更してもよい。
【０１５０】
・栽培パネル１１１の形状は矩形状に限らず、三角形状や円形状等の形状を採用することもできる。この場合には、栽培パネル１１１の形状に合わせて、フレームユニット１２１及び網カバー１３１の形状を変更すればよい。
【０１５１】
（他の実施形態）
上記の各実施形態の記載内容に限定されず、例えば次のように実施されてもよい。
【０１５２】
・上記の各実施形態では、野菜の周囲を覆うシートとして、メッシュシート３１及び網部１３２を採用したが、ビニールシート等を採用することもできる。
【０１５３】
・パネル本体１５，１１５において、パネル下面が凸凹状の面で形成されていてもよい。例えば、パネル上面を平坦面で形成するのに対し、パネル下面を凸凹状の面に形成するとよい。凹凸状の面として、具体的には、円錐状や角錐状、山状の突起が頂点を下向きにして分布する形状等を採用することができる。すなわち、畑等の土Ｓｂは平坦でない場合もあり、この場合には、凸凹状の面を有するパネル本体であれば、土Ｓｂとの間に隙間ができることを抑制し易くなる。
【０１５４】
ちなみに、上記構成の栽培パネルを水に浮かべて利用する場合には、パネル下面が凹凸状に形成されていることで、そのパネル下面側に局部的に気泡が溜まり、パネル面が傾く等の不都合が考えられる。ゆえに、上記構成の栽培パネルを水に浮かべて利用することは不向きであるが、土の上なら、凹凸の間に土Ｓｂが入り込むため、有益となる。
【０１５５】
・上記の各実施形態では、畑等の土Ｓｂの上に野菜栽培ハウス１０，１１０を設置したが、野菜栽培工場内の土の上に野菜栽培ハウス１０，１１０を設置してもよい。また、その際には、建物の２階等に設けられた土の上に、野菜栽培ハウス１０，１１０を設置してもよい。
【０１５６】
・上記の各実施形態では、野菜栽培ハウス１０，１１０として、レタスや白菜、キャベツ等の葉物野菜を栽培するようにしたが、野菜に限らず、生花等、根よりも上の部分が重要である植物の栽培にこれらを適用することもできる。
【符号の説明】
【０１５７】
１０，１１０…野菜栽培ハウス（植物栽培装置）、１１，１１１…栽培パネル（植物栽培パネル）、１５，１１５…パネル本体、１６，１１６…貫通孔、２１…フレーム部材、２２ａ…差込部、２５…板部材（押圧部及び張出部）、２６，１２６…固定部（縁部材係合部）、３１…メッシュシート（シート）、４１，１４１…縁部材、１２１…フレームユニット（フレーム部材）、１２３…脚部（差込部）、１３１…網カバー、１３２…網部（シート）。
【図２】
0005431913.tif 000002
【図３】
0005431913.tif 000003
【図４】
0005431913.tif 000004
【図５】
0005431913.tif 000005
【図６】
0005431913.tif 000006
【図７】
0005431913.tif 000007
【図８】
0005431913.tif 000008
【図９】
0005431913.tif 000009
【図１０】
0005431913.tif 000010
【図１１】
0005431913.tif 000011
【図１２】
0005431913.tif 000012
【図１３】
0005431913.tif 000013
【図１４】
0005431913.tif 000014
【図１６】
0005431913.tif 000015
【図１７】
0005431913.tif 000016
【図１８】
0005431913.tif 000017
【図１９】
0005431913.tif 000018
【図２０】
0005431913.tif 000019
【図１】
0005431913.tif 000020
【図１５】
0005431913.tif 000021